(57)【要約】【課題】太陽光による効率的な発電が可能となされ、且つ道路環境を改善できる環境配慮型防音壁を提供する。【解決手段】太陽電池セルを備えた発電防音パネル１が、弯曲された防音壁の弯曲部Ｗ及び／又は天井部Ｔに取り付けられることで、垂直部Ｃに取り付けられる場合と比べ高い効率で太陽電池セルへの太陽光の入射がなされ効率的な発電が行われるが、とりわけ防音壁において道路側への太陽光の入射を妨げる弯曲部Ｗや天井部Ｔに光線を透過する発電防音パネルを取り付けることで、道路側への太陽光の入射が確保され、道路が暗くなることを防止でき道路環境を改善することができる。【参照図】        図２【特許請求の範囲】
【請求項１】
太陽電池セルを備えた発電防音パネルが支柱により支持されて道路側縁に立設され、且つ道路側に向かって弯曲された弯曲部及び／又は天井部に前記発電防音パネルが前記太陽電池セルに太陽光が入射するように取り付けられ、前記発電防音パネルが光線を透過するようになされたことを特徴とする環境配慮型防音壁。
【請求項２】
発電防音パネルは、前記太陽電池セルにより生起された電力を、道路周辺に設置され電力を用いて道路周辺の環境保全を行う環境保全設備に供給するものであることを特徴とする請求項１に記載の環境配慮型防音壁。
【請求項３】
発電防音パネルは、太陽電池セルが透光性の保護部材に取り付けられた太陽電池モジュールを用いて形成されたことを特徴とする請求項１又は２に記載の環境配慮型防音壁。
【請求項４】
太陽電池セルは、透光性の保護部材の透光性を損なわない程度の距離を隔てて複数設けられたことを特徴とする請求項３に記載の環境配慮型防音壁。
【請求項５】
環境保全設備は、発電防音パネルと共に防音壁の形成に用いられているものであることを特徴とする請求項１〜４のいずれかに記載の環境配慮型防音壁。
【請求項６】
環境保全設備は、発電防音パネルにより生起された電力のみで環境保全を行うものであることを特徴とする請求項１〜５のいずれかに記載の環境配慮型防音壁。
【請求項７】
環境保全設備は、環境保全を行う電力を発電防音パネルにより生起された電力と外部電力とが系統連携により供給するものであることを特徴とする請求項１〜５のいずれかに記載の環境配慮型防音壁。
【請求項８】
環境保全設備は、能動型吸音装置、浮遊粒子状物質除去装置、窒素酸化物・硫黄酸化物除去装置、防音壁洗浄装置、緑化防音パネルからなる群から選ばれた、少なくとも１つであることを特徴とする請求項１〜７のいずれかに記載の環境配慮型防音壁。
【発明の詳細な説明】
【技術分野】
【０００１】
本発明は、道路側縁に設置され、騒音の伝播を防止すると共に、環境保全にも有効となされた防音壁に関するものである。
【背景技術】
【０００２】
従来、スペースの有効活用等を目的として防音壁に太陽電池を備えた発電防音パネルにより、発電を行う発明は種々開示されてきており、例えば特許文献１には、道路もしくは鉄道路の側部に設けられた防音壁において、該防音壁は、垂直に設置されている部分と、路側に湾曲、または傾斜している部分を有し、該路側に湾曲、または傾斜している部分の少なくとも一部に太陽電池を一体的に設置固定し、架台部の作製の必要がなく、防音壁が垂直である部分に設置固定するのに比べ、太陽光を有効に活用することができ、高い電気出力を得ることができる太陽電池一体型防音壁が開示されている。
【０００３】
また特許文献２において、矩形で薄板状の太陽電池パネルと、前記太陽電池パネルの少なくとも外周部に配置され前記太陽電池パネルを保持する矩形枠状のフレームと、を備えることで、遮音構造が組み立てられると同時に、多数の太陽電池パネルが張り巡らされることになり、太陽エネルギから電気エネルギを簡単に得ることが可能とされた太陽電池パネル一体型遮音パネルが開示されている。
【０００４】
【特許文献１】特開平９−１００５１４号公報
【特許文献２】特開平８−１９９５１２号公報
【発明の開示】
【発明が解決しようとする課題】
【０００５】
しかしながら、特許文献１に記載の如き太陽電池一体型防音壁は、太陽電池と防音パネルが別体となっており、取り付けに係わる作業や部材が必要となり、また風圧や振動、車両の衝突等の外力により太陽電池が外れて思わぬ災害を引き起こす恐れもある。
【０００６】
また特許文献２に記載の如き太陽電池パネル一体型遮音パネルは、遮音構造を組み立てて防音壁を形成すると、道路に太陽光が差し込むのを妨げるので道路側が暗くなり、道路利用者に圧迫感や不安感を与える等、道路環境の悪化に繋がるものである。
【０００７】
本発明は上記の如き課題に鑑みてなされたものであり、太陽光による効率的な発電が可能となされ、且つ道路環境を改善できる環境配慮型防音壁を提供せんとするものである。
【課題を解決するための手段】
【０００８】
上記課題を解決するため、本発明は以下のような構成としている。すなわち、本発明に係わる本発明に係わる環境配慮型防音壁は、太陽電池セルを備えた発電防音パネルが支柱により支持されて道路側縁に立設され、且つ道路側に向かって弯曲された弯曲部及び／又は天井部に前記発電防音パネルが前記太陽電池セルに太陽光が入射するように取り付けられ、前記発電防音パネルが光線を透過するようになされたことを特徴とするものである。
【０００９】
また前記発電防音パネルは、前記太陽電池セルにより生起された電力を、道路周辺に設置され電力を用いて環境保全を行う環境保全設備にするものであることを特徴とするものである。
【００１０】
更にまた前記発電防音パネルは、太陽電池セルが透光性の保護部材に取り付けられた太陽電池モジュールを用いて形成されていることを特徴とするものである。
【００１１】
また前記太陽電池セルは、透光性の保護部材の透光性を損なわない程度の距離を隔てて複数設けられていることを特徴とするものである。
【００１２】
また前記環境保全設備は、発電防音パネルと共に防音壁の形成に用いられているものであることを特徴とするものである。
【００１３】
また前記環境保全設備は、発電防音パネルにより生起された電力のみで環境保全を行うものであることを特徴とするものである。
【００１４】
更にまた前記環境保全設備は、能動型吸音装置、浮遊粒子状物質除去装置、窒素酸化物・硫黄酸化物除去装置、防音壁洗浄装置、緑化防音パネルからなる群から選ばれた、少なくとも１つであることを特徴とするものである。
【発明の効果】
【００１５】
請求項１に記載の本発明に係わる環境配慮型防音壁によれば、太陽電池セルを備えた発電防音パネルが、弯曲された防音壁の弯曲部及び／又は天井部に取り付けられることで、垂直部に取り付けられる場合と比べ高い効率で太陽電池セルへの太陽光の入射がなされ効率的な発電が行われるが、とりわけ防音壁において道路側への太陽光の入射を妨げる弯曲部や天井部に光線を透過する発電防音パネルを取り付けることで、道路側への太陽光の入射が確保され、道路が暗くなることを防止でき道路環境を改善することができる。
【００１６】
また請求項２の発明によれば、発電防音パネルは太陽電池セルを備えることで太陽光により電力が生起され、その電力が供給される環境保全設備により環境保全が行われることで道路周辺の環境が改善されると共に、外部電源に依存する電力を低減し、発電による環境への負荷を軽減でき好ましい。
【００１７】
また請求項３の発明によれば、発電防音パネルが受ける風圧等に起因する応力から太陽電池セルを保護することができ、発電防音パネルの大きさや形状が様々なものであっても太陽電池モジュールを組み合わせて形成でき好ましい。
【００１８】
また請求項４の発明によれば、発電防音パネルにおける光線の透過を確保でき、道路側の環境はより確実に改善される。
【００１９】
また請求項５の発明によれば、環境保全設備を環境保全と同時に防音に寄与させるものとでき、また発電防音パネルから環境保全設備への電力を供給する配線も短いものとでき好ましい。
【００２０】
また請求項６の発明によれば、外部電源に頼ることなく環境保全を行うことができ、外部電源用の配線等電気関連設備やその取り付けの手間を省くことができると共に、発電による環境への負荷を更に軽減できる点で好ましい。
【００２１】
また請求項７の発明によれば、外部電源のみに頼る場合より発電による環境への負荷を軽減できると共に、日照量の少ない時期や夜間において、外部電源により電力を補完できることで、環境保全設備の動作を確実なものとでき、更には環境保全設備電力を蓄電する蓄電手段の容量を小さいものとでき、コストや不要になった蓄電手段の廃棄の手間や廃棄物量等を軽減できる点で好ましい。
【００２２】
また請求項８の発明によれば、能動型吸音装置、浮遊粒子状物質除去装置、窒素酸化物・硫黄酸化物除去装置、防音壁洗浄装置、緑化防音パネルといったこれらの設備は、道路周辺に設置されて環境の保全に有益なもので、且つ電力を使うことでその効果がより一層高められるものであり、本発明を好適に用いることができるものである。
【発明を実施するための最良の形態】
【００２３】
本発明に係わる最良の実施の形態について、図面に基づき以下に具体的に説明する。
図１及び図２は、本発明に係わる実施の一形態を示すもので、図１は防音壁の形成を示す説明図である。まず図１において、高架道路Ｒの壁高欄Ｋ上などの道路側縁にＨ型鋼からなる支柱３が道路側に向かって弯曲して立設され、支柱３のＨ型鋼のフランジ３１間に防音パネルＰの両端が差し込まれ、その防音パネルＰが順次複数段積み重ねられてゆくことで道路側に向かって弯曲され、道路外に漏洩する騒音が少ない防音壁が形成される。
【００２４】
図２は形成された防音壁を示す側断面図である。複数段の防音パネルが積み重ねられ、道路側に弯曲されて形成された防音壁は、直立部Ｃと弯曲部Ｗを備え、場合によっては天井部Ｔを備えるものともなる。弯曲部Ｗ及び天井部Ｔが形成する面は、太陽光が照射される密度において直立部Ｃが形成する面より高い密度となることから、弯曲部Ｗや天井部Ｔに太陽電池を設けることで、直立部Ｃに設けた場合より高い効率で太陽光による発電を行うことができる。但し、弯曲部Ｗや天井部Ｔは照射される太陽光の密度の密度が高いことから、そこに遮光性の防音パネルを設置すると、直立部Ｃより太陽光が遮られる割合は大きく、道路周辺を暗くしてしまうこととなる。
【００２５】
図３は、かかる照射される太陽光の密度の高い弯曲部Ｗや天井部Ｔに、光線を透過する発電防音パネル１を設置した状態を示す説明図であり、透光性の保護部材１２に遮光性の太陽電池セル１１が適宜間隔をおいて取り付けられていることで、太陽電池セル１１には太陽光が入射して高い効率で太陽光による発電が行われ、且つ保護部材１２の面の内、太陽電池セル１１が配置されていない部位から光線が透過して発電防音パネル１は光線が透過するようになされることで、道路側への太陽光の入射が確保され、道路が暗くなることを防止でき道路環境を改善することができる。
【００２６】
弯曲部Ｗや天井部Ｔに配置される発電防音パネル１は、本実施形態に示す如く全て光線を透過する発電防音パネル１で形成してもよく、また発電防音パネル１と遮光性の防音パネルＰとを混在させて配置してもよい。
【００２７】
図４〜図６は、前記発電防音パネル１の実施の一形態を示すもので、まず図４は発電防音パネル１を形成する太陽電池モジュールを示す正面図である。太陽電池モジュールＭは透光性の保護部材１２に太陽電池セル１１が取り付けられ、太陽電池セル１１により発電された電力は導線１４により端子台Ｄに導かれ、端子台Ｄに接続されたケーブルＡにより外部に出力される。かかる太陽電池モジュールＭの周囲に枠体を形成することで発電防音パネル１が形成される。
【００２８】
図５は、図４のＡ線における断面図である。透光性の保護部材１２は太陽電池セル１１の両側に設けられ、サンドイッチ構造となされることで風圧等の外力からより確実に太陽電池セル１１を保護するようになされている。太陽電池セル１１及び導線１４は透光性の封止材Ｆにより封止されることで太陽電池セル１１や導線１４への水分の接触を防止し、且つ太陽電池セル１１の動揺を抑えることで降雨、結露、風圧、振動等による太陽電池セル１１への悪影響を防止するようになされている。
【００２９】
かかる太陽電池モジュールＭの周囲に枠体を形成し、図６に示す如く発電防音パネルが形成される。発電防音パネル１を形成する枠体１３は、上下横枠材１３１と左右縦枠材１３２とで周辺の枠組みがなされ、更に上下横枠材１３１の長さ方向中央部に中間縦枠材１３３が取り付けられている。かかる中間縦枠材１３３により、太陽電池モジュールＭの大きさが、例えば縦１ｍ×横１ｍ用のものであっても、中間縦枠材１３３により支持しつつ連続して設けることができ、任意の大きさの発電防音パネル１を形成することが可能となる。
【００３０】
太陽電池セル１１は、その形成に用いられる太陽電池の素材は特に限定されるものではなく、単結晶系、多結晶系や非結晶系といったシリコン系のものや、ＧａＡｓ、ＩｎＰ等の化合物系のものを用いてよく、更には光電変換効率及び透光性を考慮しつつ、遮光性の太陽電池セルや透光性の太陽電池セルを用いることができる。また両面受光型のものを用いてもよく、両面受光型であれば、道路側からの散乱光等を発電に利用することができる。
【００３１】
また透光性の保護部材１２は、透光性を有するものであれば特に限定されるものではなく、ガラスや強化ガラス、ポリカーボネート樹脂、アクリル樹脂、ポリアクリロニトリル樹脂、塩化ビニル樹脂、ＡＢＳ樹脂等の透光性を有する合成樹脂材料を用いてよく、これらを単独で用いるか、又は複数を用いて混合物、積層物を形成して用いてもよい。
【００３２】
また封止材Ｆについても透光性のものであれば特に限定されるものではないが、透光性の接着性合成樹脂を用いれば、太陽電池セル１１の封止と透光性の保護部材１２への太陽電池セル１１の取り付けとを同時に行うことができ好ましい。接着性合成樹脂は、ウレタン系、エポキシ系等の接着剤や、エチレン&#8722;ビニルアセテート（ＥＶＡ）、変性ポリエチレン、変性ポリプロピレン等の接着性樹脂等の内、透光性を有するものを用いてよく、それらを単独で用いても、複数により混合物、積層物として用いてもよい。
【００３３】
弯曲部Ｗに設置する発電防音パネル１について、弯曲の曲率半径が小さい場合には、左右縦枠材１３２が直線状のものでは、左右縦枠材１３２と支柱３のフランジ３１との間の間隔が不足して発電防音パネル１が設置できなくなったり、また設置が極めて困難となる恐れがある。かかる状況に対応するには、例えば発電防音パネル１の左右縦枠材１３２の寸法を小さいものとする方法がある。防音壁において、通常の防音パネルの縦寸法は５００ｍｍ、１０００ｍｍが標準であるが、それを２５０ｍｍ〜４００ｍｍとすることで、より小さい曲率半径の弯曲部Ｗに対しても対応が可能となる。
【００３４】
更に、左右縦枠材１３２を曲げ加工して弯曲部Ｗの曲率半径に近似させる方法を用いてもよい。この場合、太陽電池モジュールＭは保護部材１２が可とう性の高い材料であれば、平板上のものを左右縦枠材１３２の曲率に合わせて弯曲させてもよく、その場合にはポリカーボネート等の合成樹脂からなる保護部材１２に非結晶系の太陽電池セル１１を用いることで弯曲時の太陽電池セル１１の割れの発生を防止できるが、保護部材１２にガラス等の可とう性の乏しい材料を用いる場合や、太陽電池セル１１に単結晶系などの湾曲時に割れる恐れの大きいものを用いる場合には、例えば図７に示す如き方法で形成された太陽電池モジュールＭを用いてもよい。
【００３５】
図７において、予め弯曲させて形成されたガラスや合成樹脂等からなる二体の透光性の保護部材１２の間に封止材Ｆ及び太陽電池１１を挟み込み、熱によるラミネートを行うことで太陽電池モジュールＭが形成される。かかる方法により、太陽電池モジュールＭを湾曲させる必要がなく、また封止材Ｆにウレタン系の接着剤や、ＥＶＡを用いることで、形成時の弯曲による太陽電池セル１１にかかるストレスを吸収でき、太陽電池セル１１の割れの発生を防止でき、弯曲部Ｗへの適用が容易なものとなり得る。
【００３６】
図８は、発電防音パネル１の他の実施形態を示す説明図である。発電防音パネル１は、図６に示したものと同様に太陽電池モジュールＭの周囲に枠体１３を取り付けて形成したものであるが、太陽電池セル１１が透光性の保護部材１２の透光性を損なわない程度に距離を隔てて複数設けられ、太陽電池セル１１の間には透光性領域Ｋが形成されている。
【００３７】
かかる構造により、太陽電池セル１１と周囲の枠体１３と間隔のみならず、透光性領域Ｋからも発電防音パネル１を挟んで反対側から採光が可能となり、太陽電池セル１１が遮光性のものであっても道路側の環境の改善はより確実なものとなされる。また透光性の保護部材１２が可視光線を透過するものであれば、透光性領域Ｋを通して周りの景色を見ることができるから、道路利用者が景観を楽しむことができ、道路利用者の圧迫感や不安感、及び疲労をも軽減することができる。
【００３８】
また太陽電池セル１１は点状に間隔をおいて透光性領域Ｋを確保してもよいが、本実施形態に示す如く横方向に延びる帯状に配置することで、光線の透過を遮ることなく太陽電池セルを直列に接続し、且つ太陽電池セル間で距離を隔てることによる発電効率の低下を最小限に抑えることができる。
【００３９】
また太陽電池セル１１の配置は、図９の如きものでもよい。イ）は、複数列の太陽電池セル１１を下方に集中させ、透光性領域Ｋを発電防音パネル１の上方に偏して設けたものであり、透光性領域Ｋが集中することで道路利用者に周辺の景色や空がよりよく見えるようになされたものである。ロ）は複数列の太陽電池セル１１を上方及び下方に均等に偏して配置したもので、透光性領域Ｋを発電防音パネル１の上下方向中央に設けたものであり、帯状に配置された太陽電池セル１１を枠体１３付近に配置することで透光性領域Ｋがより広いものと見え、道路利用者に視界が広くなされたように感じさせることができる。尚、透光性領域Ｋは上記の如き実施形態に限定されるものではなく、防音壁１０の高さや道路利用者の視線の高さ等に応じて適宜の位置に設けてよい。
【００４０】
更に発電防音パネル１は、道路側の面の洗浄構造を備えているものでもよい。その洗浄構造とは本出願人による特開２００１−３２２２１号公報に記載される如きものであり、上下に隣接する少なくとも上段の防音パネルは、面板に下枠材が配置され、且つ下枠材は、その外側面上に上端から下端に向かう複数の水の通り道が互いに間隔を開けて並設され、面板の外側の面上に降った雨水が前記下枠材の水の通り道を伝って下方に導かれるようになされ、その導かれた雨水が、さらに下段の防音パネルの内側の面上に導かれるようになされることで、上段の防音パネルの面板の外側の面上に降った雨水が、下枠材を伝って下方に導かれ、その導かれた雨水が、さらに下段の防音パネルの内側の面上に導かれるようになされることで、その導かれた雨水により下段の防音パネルの内側の面上に付着した汚染物質が洗い流されるので、道路の上方に湾曲して設置された場合においても、降雨に晒されにくい道路側となる防音パネルの内側の面も自然の降雨によって効果的に洗浄されるようになされたものである。また透光性の保護部材１２の外面に光触媒含有層等の汚れ防止のコーティングを施しておけば、汚染物質を更に効果的に洗浄させることができる。
【００４１】
図１０は本発明に係わる他の実施形態を示すもので、防音壁に発電防音パネルにより発電された電力を用いて環境保全を行う環境保全設備が備えられた状態を示す説明図である。立設された支柱３間に、防音パネル化された環境保全設備２が、断面Ｈ型の支柱３のフランジ３１間に摺動されて挿入され、更に発電防音パネル１が支柱３間に取り付けられることで防音壁１０が形成され、発電防音パネル１に太陽光が照射されることで発電された電力が環境保全設備２に送電され、環境保全設備２は電力を用いてその機能に応じた環境保全を行う。
【００４２】
図１１は、防音パネル化された環境保全設備である浮遊粒子状物質除去装置を示すもので、イ）は斜視図、ロ）はイ）におけるＢ−Ｂ断面図である。イ）において、浮遊粒子状物質除去装置２Ａは道路側にスリット状となされ装置内部に空気を取り込む取込口２Ａ１及び浄化した空気を排出する排出口２Ａ２が穿設され、取り込まれる空気Ａ１は装置内部の取込口２Ａ１と排出口２Ａ２との間に配置された吸着材やフィルター等の浮遊粒子状物質捕集手段２Ａ３により浮遊粒子状物質が取り除かれ、浄化された空気Ａ２として排出口２Ａ２より装置外部に排出されることで道路周辺の環境保全に寄与するものである。更に浮遊粒子状物質除去装置２Ａの道路と反対側は遮音板２Ａ４となされることで、浮遊粒子状物質除去装置２Ａは防音壁１０を形成するにおいて遮音パネルとしても機能することができる。
【００４３】
ここで装置内部の、浮遊粒子状物質捕集手段２Ａ３の排出口２Ａ２側にはファン２Ａ５が設けられ、装置内部の流速を高めることで取り込まれる空気Ａ１及び浄化された空気Ａ２の量を増加させ、防音壁周辺のより大量の空気を浄化できることで、ファン２Ａ５を設けない場合と較べ環境保全の効率を高めることができる。かかるファン２Ａ５を回転させる動力源として発電防音パネル１により生起された電力を用いることで、環境へ負荷を少なくして道路周辺の環境保全に寄与することができる。ファン２Ａ５を設ける位置は浮遊粒子状物質捕集手段２Ａ３の取込口２Ａ１側でもよく、また浮遊粒子状物質捕集手段２Ａ３に電力により浮遊粒子状物質を捕集する、若しくは捕集効率を高めるものを用いてもよい。
【００４４】
次に図１２及び図１３は、防音パネル化された環境保全設備である能動型吸音装置を示すもので、まず図１２は防音壁に組み込まれた状態の能動型吸音装置２Ｂを示す側断面図である。通常の吸音パネルは、道路側に開口したパネル内部に吸音材等を備え、騒音の音波エネルギーを吸音材等により熱エネルギーに変換することで受動的に騒音を低減するものであるが、能動型吸音装置２Ｂは、道路Ｒを通行する車両から発生される騒音Ｓ１に対し、騒音Ｓ１と逆位相の音波Ｓ２が能動型吸音装置２Ｂから発せられ、騒音Ｓ１と音波Ｓ２とが衝突して打ち消し合うことで騒音を低減し、道路周辺の環境保全に寄与するものである。
【００４５】
図１３は、図におけるＣ−Ｃ断面図であり、能動型吸音装置２Ｂの内部を示す説明図である。能動型吸音装置２Ｂには内部に通ずる空孔２Ｂ１が穿設され、空孔２Ｂ１の内部側には道路Ｒからの騒音Ｓ１と逆位相となる音波Ｓ２を発生するスピーカー２Ｂ２が取り付けられている。更に能動型吸音装置２Ｂの道路と反対側は遮音板２Ｂ３となされることで、能動型吸音装置２Ｂは防音壁を形成するにおいて遮音パネルとしても機能することができる。
【００４６】
図１４は本発明に係わる他の実施形態で、防音パネル化された環境保全設備としての緑化防音パネルを示すもので、イ）は緑化防音パネルの斜視図、ロ）は防音壁に取り付けられた状態の例を示す側断面図である。まずイ）において、緑化防音パネル２Ｃは、枠体２Ｃ１に土壌を充填した植栽枡２Ｃ２が取り付けられ、植栽枡２Ｃ２の道路側に植物２Ｃ３が植栽されている。また枠体２Ｆ１の上面には植栽枡２Ｃ２内の土壌に通じる送水孔２Ｃ４が穿設されている。
【００４７】
緑化防音パネル２Ｃは、例えばロ）に示す如く汎用の防音パネルＰと共に設置され、その上方の弯曲部Ｗには発電防音パネル１が設置される。植栽された植物２Ｃ３が繁茂することで、防音壁面が緑化されて道路利用者へ安心感を与え、また疲労を軽減させると共に、少量ではあるが二酸化炭素や有害物質等を吸収して道路環境の保全に貢献できるものである。かかる緑化防音パネル２Ｃの植物２Ｃ３の繁茂や維持を促進できる装置、例えば灌水装置、温度維持装置等（図示せず）の動力源として、発電防音パネル１により生起された電力を利用することで、外部電力に依存することを少なくして効率のよい環境保全を行うことができる。
【００４８】
本発明に係わる環境保全設備２において、発電防音パネル１により生起された電力を用いて環境保全を行う装置は、防音パネル化されているもののみでなく、形成された防音壁に取り付けられるものであってもよい。図１５は、本発明に係わる更に他の実施形態を示す説明図であるが、高架道路Ｒの壁高欄Ｋ上に立設された支柱３間に防音パネルＰ及び発電防音パネル１を設置した防音壁において、最下段に窒素酸化物・硫黄酸化物除去防音パネル２Ｄ１が設置され、上方の弯曲部には発電防音パネル１が設置されている。
【００４９】
窒素酸化物・硫黄酸化物除去防音パネル２Ｄ１は、道路側の外面に多孔質の光触媒含有層を設けて、多孔質の空孔に吸着された窒素酸化物・硫黄酸化物を光触媒の酸化作用により硝酸、硫酸に変化させて除去するものであるが、窒素酸化物・硫黄酸化物除去防音パネル２Ｄ１に紫外線ランプ２Ｄ２を取り付けて窒素酸化物・硫黄酸化物除去装置２Ｄを形成し、光触媒含有層が設けられた外面に紫外線ランプ２Ｄ２により紫外線が照射されるようにすることで、昼間はもとより夜間においても光触媒による酸化作用を促進し、窒素酸化物・硫黄酸化物をより効率的に除去することができる。かかる紫外線ランプ２Ｄ２を照射する動力源として、発電防音パネル１により生起された電力を利用することで、外部電力に依存することを少なくして効率のよい環境保全を行うことができる。
【００５０】
図１６は、本発明に係わる更に他の実施形態を示すもので、環境保全設備が防音壁洗浄装置である説明図である。発電防音パネル１及び防音パネルＰが支柱３間に取り付けられて防音壁が形成されているが、防音壁の外面に汚染物質が付着すると、壁面が黒ずんだ状態となり道路周辺が暗く感じられて道路周辺の環境の悪化を招くこととなる。防音壁の外面に対し散水を行う散水機２Ｅを設け、その散水により防音壁に付着した汚染物質が洗い流されることで防音壁外面は清浄に保たれて、道路の環境保全に寄与することができる。また散水の対象となる防音パネルＰの外面には光触媒含有層が形成されていれば、汚染物質を容易に洗浄することができるようになり好ましい。かかる散水機２Ｅにより散水を行う動力源として、発電防音パネル１により生起された電力を利用することで、外部電力に依存することを少なくして効率のよい環境保全を行うことができる。
【００５１】
これらの環境保全設備は、発電防音パネルにより生起された電力のみで環境保全を行うものとすれば、配線や施工の簡易化に加え、外部電力に頼る必要がなく、火力や原子力により生起された電力を使用する必要がなくなることから、発電における環境への負荷を軽減することにも繋がる。
【００５２】
また前記環境保全設備は、環境保全を行う電力を発電防音パネルにより生起された電力と、商用電源等の外部電力とが系統連携を行って供給するものであれば、外部電源のみに頼る場合より発電による環境への負荷を軽減できると共に、日照量の少ない時期や夜間において、外部電源により電力を補完できることで、環境保全設備の動作を確実なものとでき、更には環境保全設備電力を蓄電する蓄電手段の容量を小さいものとでき、コストや不要になった蓄電手段の廃棄の手間や廃棄物量等を軽減できる点で好ましい。系統連携は、公知の系統連携装置を用いて行うものでよく、発電防音パネルにより生起された電圧を逐一測定し、その電圧に応じて外部電力による電力供給量を調整する等の方法で行うものであってよい。
【００５３】
また環境保全設備については、発電防音パネルにより生起された電力を蓄電し、夜間に放電する蓄電手段を設けておくのが好ましく、その電気容量は環境保全設備の消費電力に応じて適宜設定してよい。蓄電手段は鉛蓄電池等でもよいが環境への負荷を小さくできる電気二重層コンデンサ、ニッケル水素電池、プロトンポリマー電池等を用いるのが好ましい。
【図面の簡単な説明】
【００５４】
【図１】本発明に係わる防音壁の、形成を示す説明図である。
【図２】本発明に係わる実施の一形態を示す側断面図である。
【図３】本発明に係わる実施の一形態を示す斜視図である。
【図４】本発明に係わる発電防音パネルを形成する太陽電池モジュールの一例を示す正面図である。
【図５】図４のＡ線断面図である。
【図６】本発明に係わる発電防音パネルの、実施の一形態を示す説明図である。
【図７】本発明に係わる発電防音パネルを形成する太陽電池モジュールの、他の例を示す説明図である。
【図８】本発明に係わる発電防音パネルの、他の実施形態を示す説明図である。
【図９】本発明に係わる発電防音パネルの、更に他の実施形態を示す説明図である。
【図１０】本発明に係わる他の実施形態を示す説明図である。
【図１１】本発明に係わる環境保全設備の、実施の一形態を示す説明図である。
【図１２】本発明に係わる環境保全設備の、他の実施形態を示す側断面図である。
【図１３】図１１に示す環境保全設備の、Ｃ−Ｃ断面図である。
【図１４】本発明に係わる環境保全設備の、更に他の実施形態を示す説明図である。
【図１５】本発明に係わる環境保全設備の、更に他の実施形態を示す説明図である。
【図１６】本発明に係わる環境保全設備の、更に他の実施形態を示す説明図である。
【符号の説明】
【００５５】
１    発電防音パネル
１１  太陽電池セル
１２  保護部材
２    環境保全設備
２Ａ  浮遊粒子状物質除去装置
２Ｂ  能動型吸音装置
２Ｃ  緑化防音パネル
２Ｄ  窒素酸化物・硫黄酸化物除去装置
２Ｅ  防音壁洗浄装置
３    支柱
Ｗ    弯曲部
Ｔ    天井部
Ｋ    透光性領域
Ｐ    防音パネル
【図１】
2005068852.tif 000002
【図２】
2005068852.tif 000003
【図３】
2005068852.tif 000004
【図４】
2005068852.tif 000005
【図５】
2005068852.tif 000006
【図６】
2005068852.tif 000007
【図７】
2005068852.tif 000008
【図８】
2005068852.tif 000009
【図９】
2005068852.tif 000010
【図１０】
2005068852.tif 000011
【図１１】
2005068852.tif 000012
【図１２】
2005068852.tif 000013
【図１３】
2005068852.tif 000014
【図１４】
2005068852.tif 000015
【図１５】
2005068852.tif 000016
【図１６】
2005068852.tif 000017